(57)【要約】【課題】８０２．１１ＡＭＰに対応する通信とＷＬＡＮの通信とを動作を切り替えることなく実現することができる無線通信装置を得ること。【解決手段】ＢＴ（ＢＲ／ＥＤＲ）通信を実施するＢｌｕｅｔｏｏｔｈ（登録商標）コントローラー部４と、ＢＴ（ＢＲ／ＥＤＲ）とＢＴ（ＷＬＡＮ）の信号に対して通信処理を実施し、ＢＴ（ＢＲ／ＥＤＲ）とＢＴ（ＷＬＡＮ）のいずれかを選択し、送信信号を生成するＢｌｕｅｔｏｏｔｈ（登録商標）管理部２と、無線ＬＡＮ送信信号とＢＴ（ＷＬＡＮ）信号の送信制御を行うＷＬＡＮ通信制御部３４と、無線ＬＡＮ信号とＢＴ（ＷＬＡＮ）信号を送受信するＷＬＡＮ無線部３５と、ＷＬＡＮ無線部３５が受信した信号がＢＴ（ＷＬＡＮ）信号である場合にはＢｌｕｅｔｏｏｔｈ（登録商標）管理部２へ、ＷＬＡＮ信号である場合にはブリッジ部３１へ出力する状態制御部３３と、を備える。【選択図】図１
2011035632.tif 000002
【特許請求の範囲】
【請求項１】
固有の伝送路を用いる第１の近距離無線通信と、無線ＬＡＮの伝送路を伝送路として用いる第２の近距離無線通信と、のうちいずれか１つを選択して動作する高速近距離無線通信を行う無線通信装置であって、
前記第１の近距離無線通信の伝送路を経由した第１の近距離無線通信受信信号を受信し、また、前記第１の近距離無線通信の伝送路を用いて送信する信号を送信する近距離無線手段と、
前記第１の近距離無線通信の伝送路で送信する第１の近距離無線通信送信信号に対して所定の送信制御を実施する近距離無線通信制御手段と、
前記第１の近距離無線通信受信信号と前記第２の近距離無線通信による受信信号とに対して所定の高速近距離無線通信処理を実施し、前記第１の近距離無線通信と、前記第２の近距離無線通信と、のうちいずれか１つを選択し、前記第１の近距離無線通信を選択した場合には前記第１の近距離無線通信送信信号を生成し、また、前記第２の近距離無線通信を選択した場合には前記第２の近距離無線通信で送信する第２の近距離無線通信送信信号を生成する高速近距離無線通信管理手段と、
受信した無線ＬＡＮ信号に対して所定の無線ＬＡＮ処理を実施し、また無線ＬＡＮによって送信する無線ＬＡＮ送信信号を出力する無線ＬＡＮ処理手段と、
前記無線ＬＡＮ送信信号と前記第２の近距離無線通信送信信号とに対して所定の送信制御を行う無線ＬＡＮ通信制御手段と、
無線ＬＡＮの伝送路を経由した無線ＬＡＮ信号を受信し、また、前記無線ＬＡＮ通信制御手段による通信制御後の信号を無線ＬＡＮの伝送路を用いて送信する無線ＬＡＮ無線手段と、
前記無線ＬＡＮ無線手段が受信した無線ＬＡＮ信号に含まれる所定のヘッダ情報に基づいて、その無線ＬＡＮ信号が第２の近距離無線通信の信号であるか、無線ＬＡＮ通信の信号であるか、を判断し、前記第２の近距離無線通信の信号であると判断した場合には、前記高速近距離無線通信管理手段へその無線ＬＡＮ信号を出力し、無線ＬＡＮ通信の信号であると判断した場合には、その無線ＬＡＮ信号を前記無線ＬＡＮ処理手段へ出力する状態制御手段、
を備えることを特徴とする無線通信装置。
【請求項２】
前記高速近距離無線通信をＢｌｕｅｔｏｏｔｈ（登録商標）に基づく通信とし、
前記第１の近距離無線通信を「Ｂｌｕｅｔｏｏｔｈ（登録商標）  Ｖｅｒｓｉｏｎ２．１＋ＥＤＲ」以前の規格に基づく通信とし、
前記第２の近距離無線通信を「Ｂｌｕｅｔｏｏｔｈ（登録商標）  Ｖｅｒｓｉｏｎ３．０」とする、
ことを特徴とする請求項１に記載の無線通信装置。
【請求項３】
前記無線ＬＡＮ通信をＩＥＥＥ８０２．１１規格に基づく通信とすることを特徴とする請求項１または２に記載の無線通信装置。
【請求項４】
前記無線ＬＡＮ制御手段は、
前記無線ＬＡＮ受信手段が受信した前記第２の近距離無線通信の信号に対してＩＥＥＥ８０２．１１  ＰＡＬの処理を実施し、処理後の信号を前記高速近距離無線通信管理手段へ出力する８０２．１１ＰＡＬ手段、
をさらに備え、
前記状態制御手段は、前記無線ＬＡＮ受信手段が受信した無線ＬＡＮ信号が前記第２の近距離無線通信の信号であると判断した場合には、その無線ＬＡＮ信号を前記８０２．１１ＰＡＬ手段経由で前記高速近距離無線通信管理手段へ出力する、
ことを特徴とする請求項３に記載の無線通信装置。
【請求項５】
前記ヘッダ情報をＳＳＩＤとすることを特徴とする請求項１〜４のいずれか１つに記載の無線通信装置。
【請求項６】
前記ヘッダ情報をＳＮＡＰヘッダ、ＬＬＣヘッダのうち１つ以上のヘッダに含まれる情報とすることを特徴とする請求項１〜４のいずれか１つに記載の無線通信装置。
【請求項７】
前記ヘッダ情報をＳＳＩＤとＳＮＡＰヘッダ、ＬＬＣヘッダのうち１つ以上のヘッダに含まれる情報との組み合わせとすることを特徴とする請求項１〜４のいずれか１つに記載の無線通信装置。
【請求項８】
請求項１〜７のいずれか１つに記載の無線通信装置としての機能を有することを特徴とする無線ＬＡＮアクセスポイント。
【請求項９】
請求項１〜７のいずれか１つに記載の無線通信装置と、
無線ＬＡＮ通信を行う無線ＬＡＮ装置と、
を備えることを特徴とする無線通信システム。
【請求項１０】
さらに、
固有の伝送路を用いる第１の近距離無線通信を行う近距離無線通信装置、
を備えることを特徴とする請求項９に記載の無線通信システム。
【請求項１１】
さらに
請求項８に記載の無線ＬＡＮアクセスポイント、
を備えることを特徴とする請求項９または１０に記載の無線通信システム。
【請求項１２】
固有の伝送路を用いる第１の近距離無線通信と、無線ＬＡＮの伝送路を伝送路として用いる第２の近距離無線通信と、のうちいずれか１つを選択して動作する高速近距離無線通信を行う無線通信装置における無線通信方法であって、
第１の近距離無線通信の伝送路を経由した第１の近距離無線通信受信信号を受信する近距離無線通信受信ステップと、
前記第１の近距離無線通信の伝送路を用いて送信する信号を送信する近距離送信ステップと、
前記第１の近距離無線通信の伝送路で送信する第１の近距離無線通信送信信号に対して所定の送信制御を実施する近距離無線通信制御ステップと、
前記第１の近距離無線通信受信信号と前記第２の近距離無線通信による受信信号とに対して所定の高速近距離無線通信処理を実施する高速近距離無線通信処理ステップと、
前記第１の近距離無線通信と、前記第２の近距離無線通信と、のうちいずれか１つを選択する選択ステップと、
前記選択ステップで、前記第１の近距離無線通信を選択した場合には前記第１の近距離無線通信送信信号を生成し、また、前記第２の近距離無線通信を選択した場合には前記第２の近距離無線通信で送信する第２の近距離無線通信送信信号を生成する高速近距離無線通信送信ステップと、
受信した無線ＬＡＮ信号に対して所定の無線ＬＡＮ処理を実施し、また無線ＬＡＮによって送信する無線ＬＡＮ送信信号を出力する無線ＬＡＮ処理ステップと、
前記無線ＬＡＮ送信信号と前記第２の近距離無線通信送信信号とに対して所定の送信制御を行う無線ＬＡＮ通信制御ステップと、
無線ＬＡＮの伝送路を経由した無線ＬＡＮ信号を受信する無線ＬＡＮ受信ステップと
前記無線ＬＡＮ通信制御ステップの通信制御後の信号を無線ＬＡＮの伝送路を用いて送信する無線ＬＡＮ無線ステップと、
前記無線ＬＡＮ受信ステップで受信した無線ＬＡＮ信号に含まれる所定のヘッダ情報に基づいて、その無線ＬＡＮ信号が第２の近距離無線通信の信号であるか、無線ＬＡＮ通信の信号であるか、を判断し、前記第２の近距離無線通信の信号であると判断した場合には、前記高速近距離無線通信管理ステップへその無線ＬＡＮ信号を渡し、無線ＬＡＮ通信の信号であると判断した場合には、その無線ＬＡＮ信号を前記無線ＬＡＮ処理ステップへ渡す状態制御ステップと、
を含むことを特徴とする無線通信方法。
【発明の詳細な説明】
【技術分野】
【０００１】
本発明は、ディジタル無線通信システムの分野に関し、無線ＬＡＮ（Local  Area  Network）機器と共存する環境下で次世代Ｂｌｕｅｔｏｏｔｈ（登録商標）通信技術を実現する無線通信装置に関する。
【背景技術】
【０００２】
ＩＳＭ（Industry  Science  Medical）バンドと呼ばれる２．４ＧＨｚ帯は、電波法に定められた基準を満たせばユーザーが免許不要で無線機器を使用できるため、無線ＬＡＮ（ＩＥＥＥ（Institute  of  Electrical  and  Electronic  Engineers）８０２．１１ｂ／ｇ／ｎ），Ｂｌｕｅｔｏｏｔｈ（登録商標），コードレス電話等の無線装置で、近年盛んに利用されている。
【０００３】
ＩＥＥＥ８０２．１１ｂ／ｇ／ｎを用いる無線装置（以下、ＷＬＡＮ（Wireless  ＬＡＮ）装置という：下記非特許文献１参照）では、耐ノイズ性を考慮して、直接拡散方式のスペクトル拡散（Direct  Sequence  Spread  Spectrum：ＤＳＳＳ）技術や、ＯＦＤＭ（Orthogonal  Frequency  Division  Multiplexing）技術が導入されている。その際、２．４ＧＨｚ帯の中に既定された１４個のチャネル（１つのチャネルはＢｌｕｅｔｏｏｔｈ（登録商標）のほぼ２０チャネル分に相当する占有周波数帯域幅）の１つを固定的に使用して通信を行う。
【０００４】
また、ＷＬＡＮ装置では、他ネットワークまたは他システムとの相互運用性を考慮して、無線パケット送信に先立って無線チャネルをキャリアセンスし、チャネルの使用中（チャネルビジー）を確認した場合は無線パケットの送信を控え、あらかじめ決められたチャネル未使用時間とバックオフ時間後に、無線パケットを送信する無線アクセス方式であるＣＳＭＡ／ＣＡ（Carrier  Sense  Multiple  Access  with  Collision  Avoidance）が主に導入されている。
【０００５】
従来のＢｌｕｅｔｏｏｔｈ（登録商標）対応の無線通信装置（以下、ＢＴ装置という）は、同様に耐ノイズ性を考慮して、周波数ホッピング方式のスペクトル拡散（Frequency  Hopping  Spread  Spectrum：ＦＨＳＳ）技術が導入されている。従来のＢＴ装置は、たとえばＢｌｕｅｔｏｏｔｈ（登録商標）２．１＋ＥＤＲ（Enhanced  Data  Rate）に対応している装置であり、以下、従来のＢＴ装置の通信方式を、ＢＲ（Basic  Rate）／ＥＤＲ方式と記すこととする。ＢＴ／ＥＤＲ方式では、２．４０ＧＨｚから２．４８ＧＨｚまでの周波数帯に定められた１ＭＨｚ幅の７９個の周波数チャネル（以下、ＦＨ（Frequency  Hopping）チャネルという）のうち１つのＦＨチャネルを選択し、時間経過と共に使用するＦＨチャネルを切り替えて無線通信を行う周波数ホッピング方式を採用している。この周波数ホッピング方式は、予め決められた擬似ランダムアルゴリズムに基づいて一定時間間隔で繰り返すようにＦＨチャネル選択を行い、１つのＦＨチャネルに１パケットデータを割り当てて通信を行う。
【０００６】
したがって、同じ２．４ＧＨｚ帯を用いて通信を行うＢＴ装置とＷＬＡＮ装置がお互いの通信エリア内に存在すると、互いが送出する電波が干渉しあいお互いの通信を妨害することになる。この電波干渉を回避する方法として、たとえば適応周波数ホッピングとよばれる技術がある。この技術は、ＢＴ装置が、送信中のビットエラーレートやパケットエラーレート等の測定，ＢＴ装置間で通信していないスロットでの受信信号強度の測定等により、ＢＴ装置側のＦＨチャネルの品質を観測し、観測した品質に基づいて自身の通信を妨害する電波があると判断したＦＨチャネルを避けて周波数ホッピングを行うことで、ＷＬＡＮ等の他システムからの干渉を防ぐ技術である。
【０００７】
一方、従来のＢＴ装置では、物理伝送速度の上限が３Ｍｂｐｓ程度であり、近年大容量化するマルチメディアトラフィックの転送には通信帯域が不十分となってきている。今後Ｂｌｕｅｔｏｏｔｈ（登録商標）の更なる高速化手法として、物理層（ＰＨＹ），アクセス制御層（ＭＡＣ（Media  Access  Control））にＩＥＥＥ８０２．１１やＵＷＢ（Ultra  Wide  Band）などが採用されることが検討されている。とりわけ、Ｂｌｕｅｔｏｏｔｈ（登録商標）  ＳＩＧ（Special  Interest  Group）で、検討されているＡＭＰ（Alternative  ＰＨＹ  and  ＭＡＣ）では、物理層とアクセス制御層に２．４Ｇｈｚ帯で動作するＩＥＥＥ８０２．１１ｂ／ｇなどが採用されることが決まっており（下記、非特許文献２参照）、今後、ＩＥＥＥ８０２．１１ｂ／ｇ／ｅ／（ｎ）／（ａ）などを採用した次世代Ｂｌｕｅｔｏｏｔｈ（登録商標）対応の無線装置（以下、次世代ＢＴ装置という）が開発される予定である。
【０００８】
次世代ＢＴ装置は、通信制御等は既存のＢＲ／ＥＤＲ方式で通信を行い、広帯域なデータ通信はＷＬＡＮを用いて通信を行う装置であり、ＢＲ／ＥＤＲ方式とＷＬＡＮ方式の両方に対応する複合無線装置である。具体的には、次世代ＢＴ装置は、下記非特許文献１に記載されているように、ＩＥＥＥ８０２．１１の物理層およびアクセス制御層を収容するために、ＩＥＥＥ８０２．１１  ＰＡＬ（Protocol  Adaptation  Layer）を新たに設けて、ＨＣＩ（Host  Controller  Interface）インタフェース以上のＬ２ＣＡＰ（Logical  Link  Control  and  Adaptation  Protocol）やBluetooth（登録商標）  Profileに対して従来と同様のインタフェースを提供する仕組みを構築している。
【先行技術文献】
【非特許文献】
【０００９】
【非特許文献１】ＩＥＥＥ，“ＩＥＥＥ  Std  ８０２．１１−２００７”，２００７
【非特許文献２】Bluetooth（登録商標）  SIG，“BLUETOOTH  SPECIFICATION  Version  3.0  +  HS”，April  ２００９
【発明の概要】
【発明が解決しようとする課題】
【００１０】
しかしながら、上記次世代ＢＴ装置では、ＩＥＥＥ８０２．１１  ＭＡＣ／ＰＨＹの動作として、上記非特許文献１の規格外の独自方式でネットワークを構築している。具体的には、ＩＥＥＥ８０２．１１  ＰＡＬでは、自端末の存在を通知するためのBeaconフレームから(re)associationまでの接続制御までのフレームを３  addressモードで動作し、Dataフレームに対してはＩＥＥＥ８０２．１１  Frame  Control  Fieldに含まれるＴｏ  ＤＳフィールド，Ｆｒｏｍ  ＤＳフィールドをともに“１”に設定し、４  addressモードで動作する仕様となっている。
【００１１】
さらに、現状のＩＥＥＥ８０２．１１  ＰＡＬの仕様では、従来のＷＬＡＮ装置から送信された接続要求は無視（フレームを破棄）することになっているため、次世代ＢＴ装置は、ＩＥＥＥ８０２．１１  ＰＡＬの仕様のままでは非特許文献１に記載されているインフラストラクチャーモードまたはアドホックモードで動作しないこともある。
【００１２】
したがって、現状の仕様のみで実装された場合次世代ＢＴ装置は、ＩＥＥＥ８０２．１１  ＡＭＰに対応する機能と従来のＩＥＥＥ８０２．１１に対応する機能を同時に実現することができず、ＩＥＥＥ８０２．１１  ＡＭＰを用いた通信と、従来のＷＬＡＮ装置との通信と、の両方を行う場合には、それぞれに対応する機能を切り替えて動作する必要があり、通信の切り替え時間が必要となる、という問題があった。
【００１３】
本発明は、上記に鑑みてなされたものであって、ＩＥＥＥ８０２．１１  ＡＭＰに対応する通信と従来のＷＬＡＮの通信と、の両方の通信を、動作を切り替えることなく実現することができる無線通信装置、無線通信システムおよび無線通信方法を得ることを目的とする。
【課題を解決するための手段】
【００１４】
上述した課題を解決し、目的を達成するために、本発明は、固有の伝送路を用いる第１の近距離無線通信と、無線ＬＡＮの伝送路を伝送路として用いる第２の近距離無線通信と、のうちいずれか１つを選択して動作する高速近距離無線通信を行う無線通信装置であって、前記第１の近距離無線通信の伝送路を経由した第１の近距離無線通信受信信号を受信し、また、前記第１の近距離無線通信の伝送路を用いて送信する信号を送信する近距離無線手段と、前記第１の近距離無線通信の伝送路で送信する第１の近距離無線通信送信信号に対して所定の送信制御を実施する近距離無線通信制御手段と、前記第１の近距離無線通信受信信号と前記第２の近距離無線通信による受信信号とに対して所定の高速近距離無線通信処理を実施し、前記第１の近距離無線通信と、前記第２の近距離無線通信と、のうちいずれか１つを選択し、前記第１の近距離無線通信を選択した場合には前記第１の近距離無線通信送信信号を生成し、また、前記第２の近距離無線通信を選択した場合には前記第２の近距離無線通信で送信する第２の近距離無線通信送信信号を生成する高速近距離無線通信管理手段と、受信した無線ＬＡＮ信号に対して所定の無線ＬＡＮ処理を実施し、また無線ＬＡＮによって送信する無線ＬＡＮ送信信号を出力する無線ＬＡＮ処理手段と、前記無線ＬＡＮ送信信号と前記第２の近距離無線通信送信信号とに対して所定の送信制御を行う無線ＬＡＮ通信制御手段と、無線ＬＡＮの伝送路を経由した無線ＬＡＮ信号を受信し、また、前記無線ＬＡＮ通信制御手段による通信制御後の信号を無線ＬＡＮの伝送路を用いて送信する無線ＬＡＮ無線手段と、前記無線ＬＡＮ無線手段が受信した無線ＬＡＮ信号に含まれる所定のヘッダ情報に基づいて、その無線ＬＡＮ信号が第２の近距離無線通信の信号であるか、無線ＬＡＮ通信の信号であるか、を判断し、前記第２の近距離無線通信の信号であると判断した場合には、前記高速近距離無線通信管理手段へその無線ＬＡＮ信号を出力し、無線ＬＡＮ通信の信号であると判断した場合には、その無線ＬＡＮ信号を前記無線ＬＡＮ処理手段へ出力する状態制御手段、を備えることを特徴とする。
【発明の効果】
【００１５】
本発明によれば、状態制御手段が、無線ＬＡＮ無線手段を経由して受信したフレームのヘッダ情報に基づいて、そのフレームがＷＬＡＮフレームであるかＢＴ（ＷＬＡＮ）フレームであるかを判断し、ＷＬＡＮフレームであると判断した場合には、ＷＬＡＮ通信の処理を実施し、ＢＴ（ＷＬＡＮ）フレームであると判断した場合には、高速近距離通信管理手段（次世代Ｂｌｕｅｔｏｏｔｈ（登録商標）管理手段）へ出力するようにしたので、ＩＥＥＥ８０２．１１  ＡＭＰに対応する通信と従来のＷＬＡＮ通信（ＩＥＥＥ８０２．１１に対応する通信）と、の両方の通信を、動作を切り替えることなく実現することができる、という効果を奏する。
【図面の簡単な説明】
【００１６】
【図１】図１は、実施の形態１の複合無線装置の機能構成例を示す図である。
【図２】図２は、実施の形態１の複合無線装置１が、利用可能な周波数チャネルの一例を示す図である。
【図３】図３は、実施の形態１の通信システムの一例を示す図である。
【図４】図４は、実施の形態１のフレーム交換シーケンスの一例を示す図である。
【図５】図５は、次世代Ｂｌｕｅｔｏｏｔｈ（登録商標）に基づく従来のフレーム交換シーケンスの一例を示す図である。
【図６−１】図６−１は、ＢＴ（ＷＬＡＮ）の通信で用いるフレームフォーマットの一例を示す図である。
【図６−２】図６−２は、ＩＥＥＥ８０２．１１フレームのフレームフォーマットの一例を示す図である。
【図７】図７は、次世代Ｂｌｕｅｔｏｏｔｈ（登録商標）のＡＭＰ  ＬＬＣ／ＳＮＡＰヘッダの一例を示す図である。
【図８】図８は、実施の形態２の通信システムの構成例を示す図である。
【図９】図９は、実施の形態２のフレーム交換シーケンスの一例を示す図である。
【発明を実施するための形態】
【００１７】
以下に、本発明にかかる無線通信装置、無線通信システムおよび無線通信方法の実施の形態を図面に基づいて詳細に説明する。なお、この実施の形態によりこの発明が限定されるものではない。
【００１８】
実施の形態１．
図１は、本発明にかかる複合無線装置の実施の形態１の機能構成例を示す図である。本実施の形態では、本発明にかかる無線通信装置として図１に示した複合無線装置を例に説明する。図１に示すように、本実施の形態の複合無線装置１は、Ｂｌｕｅｔｏｏｔｈ（登録商標）管理部２と、ＷＬＡＮコントローラー部３と、Ｂｌｕｅｔｏｏｔｈ（登録商標）コントローラー部４と、で構成される。
【００１９】
ＷＬＡＮコントローラー部３は、ブリッジ部３１と、８０２．１１ＰＡＬ部３２と、状態制御部３３と、ＷＬＡＮ通信制御部３４と、ＷＬＡＮ無線部３５とで構成される。また、Ｂｌｕｅｔｏｏｔｈ（登録商標）コントローラー部４は、ＢＴ通信制御部４１と、ＢＴ無線部４２と、で構成される。
【００２０】
図２は、本実施の形態の複合無線装置１が、利用可能な周波数チャネルの一例を示す図である。本実施の形態の複合無線装置１は、図２の上側ＣＨ＃１〜ＣＨ＃１４で示したＩＥＥＥ８０１．１１ｂ／ｇ／ｎ規格で利用可能な２．４ＧＨｚ帯の１４個の周波数チャネル（以下、ＷＬＡＮチャネルという）と、図２の最下段に示したＢｌｕｅｔｏｏｔｈ（登録商標）規格で利用可能な２．４ＧＨｚ帯の７９個の周波数チャネル（以下、ＦＨチャネルという）と、が利用可能である。
【００２１】
ＷＬＡＮコントローラー部３は、ＷＬＡＮチャネルのうち１以上の任意の周波数チャネルを用いてＩＥＥＥ８０１．１１ｂ／ｇ／ｎ規格に従った通信を行う。ＷＬＡＮ無線部３５は、アンテナ、送受信用信号増幅器、フィルタ、変復調器、ＰＬＬ回路、ベースバンド処理回路等によって構成され、ＷＬＡＮの無線処理を行う。ＷＬＡＮ通信制御部３４は、端末管理処理回路、秘匿処理回路、フレーマー、アクセス制御回路等によって構成され、ＷＬＡＮの通信制御を行う。ブリッジ部３１は、Ethernet（登録商標）等へのブリッジ機能を実現する、またはＳＤＩＯ，ＰＣＩなどのホストインタフェース（図示せず）へのデータ転送を行なう。すなわち、ブリッジ部３１は、ＷＬＡＮのデータを上位層の処理手段（ＷＬＡＮ処理手段）へ渡し、また、上位相の処理手段から送信データを受け取る機能を有する。なお、複合無線装置１が、自装置内でＷＬＡＮの信号の上位層の処理を行う場合には、ブリッジ部３１の替わりにその上位層の処理を行う手段を備えることになる。
【００２２】
また、８０２．１１ＰＡＬ部３２は、次世代Ｂｌｕｅｔｏｏｔｈ（登録商標）（Bluetooth（登録商標）  Core  Specification  Version  3.0  High  Speed等）としての機能を実現するための８０２．１１  ＰＡＬの処理を行う。次世代Ｂｌｕｅｔｏｏｔｈ（登録商標）では、トラフィック量が多い場合などに、８０２．１１ｂ／ｇ／ｎ規格などＷＬＡＮの規格に基づく物理層およびアクセス制御層を用いた通信を行うことにより伝送速度を向上させている。すなわち、伝送速度を向上させる場合には、次世代Ｂｌｕｅｔｏｏｔｈ（登録商標）では、ＷＬＡＮを伝送路として用いて通信を行う。状態管理部３３は、７３４から受け取った受信データをブリッジ部３１または８０２．１１ＰＡＬ部３２に対する振り分けやフィルタリングを行い、また、ブリッジ部３１，８０２．１１ＰＡＬ部３２から受け取った送信データに対してヘッダの付け替えや送信優先制御を行う。
【００２３】
なお、ＷＬＡＮ無線部３５は、キャリアセンスを行い、その値が所定の時間、たとえば−７６ｄＢｍ以下の場合にＷＬＡＮ通信制御部３４に対し、そのチャネルが使用されておらず利用可能であること意味する送信ＯＫ信号を送出する。また、ＷＬＡＮ通信制御部３４は、ＣＳＭＡ／ＣＡに基づくアクセス制御を実施するほか、ＰＣＦ（Point  Coordination  Function）、ＥＤＣＡ（Enhanced  Distributed  Channel  Access）、ＨＣＣＡ（Hybrid  Coordination  Function(HCF)  Controlled  Channel  Access）などのアクセス制御の機能を実装することとし、アクセス制御方法は通信トラフィック種別ごとに使い分ける。
【００２４】
ＢＴコントローラー部４は、近距離無線通信手段であり、具体的には、従来のＢｌｕｅｔｏｏｔｈ（登録商標）規格に基づいた無線通信制御を行う。具体的には、２．４ＧＨｚ帯の周波数帯域を１ＭＨz間隔で７９個に分割した周波数チャネル（ＦＨチャネル）を用いて、ホッピングパターンに基づいて基本的には１タイムスロット毎（６２５μｓ）に使用する周波数チャネルを切り替えて通信を行う。
【００２５】
ＢＴコントローラー部４は、アンテナ、ＲＦ（Radio  Frequency）、ベースバンド処理回路等から構成されるＢＴ無線部４２と、リンク管理、周波数ホッピングチャネル決定部、アクセス制御回路等によって構成されるＢＴ通信制御部４１で構成される。
【００２６】
Ｂｌｕｅｔｏｏｔｈ（登録商標）管理部２は、上位プロトコルの多重化、パケットのセグメント化と再構築や、端末管理、プロファイル管理、利用する無線装置の決定などを行い、従来のＢｌｕｅｔｏｏｔｈ（登録商標）に対応する装置（以下、ＢＴ（ＢＲ／ＥＤＲ）装置という）と通信を行うための機能部と、８０２．１１ＰＡＬを用いた次世代Ｂｌｕｅｔｏｏｔｈ（登録商標）による通信を行うための機能部と、Ｌ２ＣＡＰ処理部と、Ｂｌｕｅｔｏｏｔｈ（登録商標）  Ｐｒｏｆｉｌｅ処理部と、等で構成される。また、Ｂｌｕｅｔｏｏｔｈ（登録商標）管理部２は、トラフィック量などに基づいて、従来のＢｌｕｅｔｏｏｔｈ（登録商標）の通信（以下、ＢＴ（ＢＲ／ＥＤＲ）という）とＩＥＥＥ８０２．１１ｂ／ｇなどを用いた通信（ＢＴ（ＷＬＡＮ））との間の切り替えなどの制御も実施する。
【００２７】
つぎに、本実施の形態の複合無線装置の動作について説明する。以下では、本実施の複合無線装置１をＢＴＨＳ装置とよぶこととする。図３は、本実施の形態の通信システムの一例を示す図である。図３に示すように、本実施の形態の通信システムは、ＢＴＨＳ装置１−１，１−２と、ＩＥＥＥ８０１．１１ｂ／ｇ／ｎに対応したＷＬＡＮ装置として機能するアクセスポイント（ＡＰ）６と、ＩＥＥＥ８０１．１１ｂ／ｇ／ｎに対応したＷＬＡＮ装置として機能する無線端末局（ＳＴＡ）７と、従来のＢｌｕｅｔｏｏｔｈ（登録商標）（たとえば、Ｂｌｕｅｔｏｏｔｈ（登録商標）２．１＋ＥＤＲなど）に対応した携帯端末等であるＢＴ（ＥＲ／ＥＤＲ）装置８−１と、従来のＢｌｕｅｔｏｏｔｈ（登録商標）に対応したヘッドセット等であるＢＴ（ＥＲ／ＥＤＲ）装置８−２と、で構成される。なお、ＢＴＨＳ装置１−１，１−２は、それぞれ図１に示した複合無線装置１と同様の構成を備えていることとする。
【００２８】
図３では、塗りつぶし図形で示した無線通信をＩＥＥＥ８０１．１１ｂ／ｇ／ｎによる通信（ＷＬＡＮ通信）の信号とし、矢印で示した通信をＢＴ（ＢＲ／ＥＤＲ）による通信の信号として示している。ＢＴ（ＢＲ／ＥＤＲ）装置１−１とＢＴ（ＢＲ／ＥＤＲ）装置１−２の間は、ＢＴ（ＢＲ／ＥＤＲ）の通信とＷＡＬＮ通信の両方が存在するため、２種類の信号が記載されている。また、ＢＴＨＳ１−１は、ＢＴＨＳ１−２と次世代Ｂｌｕｅｔｏｏｔｈ（登録商標）機器として通信を行うだけでなく、ＷＬＡＮ装置としてＡＰ６と通信を行う。
【００２９】
図４は、本実施の形態のフレーム交換シーケンスの一例を示す図である。図４では、ＢＴＨＳ１−１が、ＷＡＬＮ装置であるＡＰ６と、次世代Ｂｌｕｅｔｏｏｔｈ（登録商標）機器ＢＴＨＳ１−２と、の間で通信を行う場合のフレーム交換シーケンスの一例を示している。
【００３０】
まず、時刻ｔ０では、ＡＰ６が、ＷＡＬＮチャネルのＣＨ＃１を用いて報知信号であるBeacon（８０２．１１）フレームを送信している。本フレームは、ＷＬＡＮ装置であるＳＴＡ７だけでなく、ＢＴＨＳ１−１，ＢＴＨＳ１−２も受信する。ＢＴＨＳ１−１，ＢＴＨＳ１−２では、ＷＬＡＮコントローラー部３の状態制御部３３が、ＷＬＡＮ無線部３５およびＷＬＡＮ通信制御部５４を経由して受信したフレームのＳＳＩＤ（Service  Set  Identifier），ＳＮＡＰ（Subnetwork  Access  Protocol）／ＬＬＣ（Logical  link  Control）ヘッダ等のいずれか１つ以上の情報に基づいて、そのフレームがＩＥＥＥ８０１．１１ｂ／ｇ／ｎ対応のBeaconであると判別し、ブリッジ部３に転送する。したがって、この場合、Ｂｌｕｅｔｏｏｔｈ（登録商標）機能は動作しない。
【００３１】
ここで、従来の次世代Ｂｌｕｅｔｏｏｔｈ（登録商標）のフレーム交換シーケンスについて説明する。図５は、次世代Ｂｌｕｅｔｏｏｔｈ（登録商標）に基づく従来のフレーム交換シーケンスの一例を示す図である。図５では、ＢＴＨＳ１−１とＢＴＨＳ１−２が、フレーム交換をする場合を例に示している。まず、ＢＴＨＳ１−１は、ＢＴ（ＢＲ／ＥＤＲ）通信により、ＡＭＰへの対応可否などの情報取得を要求する要求フレーム「ＡＭＰ＿Ｇｅｔ＿Ｉｎｆｏ＿Ｒｅｑ」を、ＢＴＨＳ１−２を送信し（ステップＳ１１）、ＢＴＨＳ１−２がその応答「ＡＭＰ＿Ｇｅｔ＿Ｉｎｆｏ＿Ｒｅｓ」を送信する（ステップＳ１２）。
【００３２】
その後、ＢＴＨＳ１−１は、アソシエーション情報の取得を要求する「ＡＭＰ＿Ｇｅｔ＿Ａｓｓｏｃ＿Ｒｅｑ」をＢＴＨＳ１−２へ送信し、ＢＴＨＳ１−２が、その応答「ＡＭＰ＿Ｇｅｔ＿Ａｓｓｏｃ＿Ｒｅｓ」を送信する（ステップＳ１３）。そして、ＢＴＨＳ１−１は、ＳＳＩＤをＡＭＰ−ｘｘ：ｘｘ：ｘｘ：ｘｘ（アドレス部分のｘは、ＢＴＨＳ１−１を識別するための任意の値）に設定しＷＬＡＮ信号（たとえば、ＷＬＡＮチャネルのＣＨ＃１１）を用いて所定の間隔でBeaconを送信する（ステップＳ１５，ステップＳ１６）。なお、このBeaconを送信するチャネルはステップＳ１１〜ステップＳ１４の情報交換時にＢＴＨＳ１−１とＢＴＨＳ１−２の間で合意しておくこととする。
【００３３】
つぎに、ＢＴＨＳ１−１は、ＢＴＨＳ１−２に対してBeaconの送信開始情報と関連情報を含む「ＡＭＰ＿Ｃｒｅａｔｅ＿Ｐｈｙ＿Ｌｉｎｋ＿Ｒｅｑ」を送信する（ステップＳ１７）。ＢＴＨＳ１−２は、受信した「ＡＭＰ＿Ｃｒｅａｔｅ＿Ｐｈｙ＿Ｌｉｎｋ＿Ｒｅｑ」に基づいて、ＢＴＨＳ１−２との間で合意したＷＬＡＮチャネル（たとえば、ＣＨ＃１１）でＳＳＩＤをＡＭＰ−ｙｙ：ｙｙ：ｙｙ：ｙ（アドレス部分のｙは、ＢＴＨＳ１−２を識別するための任意の値）に設定したBeaconを所定の間隔で送信する（ステップＳ１８，ステップＳ１９）。次に、Beacon送信開始情報と関連情報を含む「ＡＭＰ＿Ｃｒｅａｔｅ＿Ｐｈｙ＿Ｌｉｎｋ＿Ｒｅｓ」をＢＴＨＳ１−１に送信し（ステップＳ２０）、ＢＴＨＳ１−１とＢＴＨＳ１−２の用いた接続制御が完了する。その後、「８０２．１１  Ａｕｔｈｅｎｔｉｆｉｃａｔｉｏｎ／Ａｓｓｏｃｉａｔｉｏｎ  Ｐｒｏｃｅｓｓ」（ステップＳ２１），「４ｗａｙ  ｈａｎｄｓｈａｋｅ  ｏｖｅｒ  ８０２．１１  ｍｅｄｉｕｍ」（ステップＳ２２）等ＩＥＥＥ８０２．１１ｂ／ｇ／ｎによる通信が実施される。
【００３４】
図４の説明に戻ると、時刻ｔ１では、図５のステップＳ５と同様に、ＢＴＨＳ１−１のＷＬＡＮ通信制御部３４がＷＬＡＮ無線部３５を経由して、次世代Ｂｌｕｅｔｏｏｔｈ（登録商標）に基づく報知信号であるBeacon（ＡＭＰ＿１）フレームを送信する。具体的には、ＢＴＨＳ１−１では、Ｂｌｕｅｔｏｏｔｈ（登録商標）管理部２が所定のタイミングでBeacon（ＡＭＰ＿１）を送信するよう、ＷＬＡＮコントローラー部３の８０２．１１ＰＡＬ部３２を介して状態制御部３３に通知する。状態制御部３３は、ＳＳＩＤをＡＭＰ−ｘｘ：ｘｘ：ｘｘ：ｘｘとしたBeacon（ＡＭＰ＿１）をＷＬＡＮ通信制御部３４に渡し、ＷＬＡＮ通信制御部３４は、ＣＳＭＡ／ＣＡのアクセス制御に基づいてＷＬＡＮ無線部５５を介してBeacon（ＡＭＰ＿１）を送信する。本フレームは、ＢＴＨＳ１−２が受信する。
【００３５】
ＢＴＨＳ１−２では、状態制御部３３は、ＷＬＡＮ無線部３５およびＷＬＡＮ通信制御部３４経由で受信したBeacon（ＡＭＰ＿１）フレームをヘッダ情報（ＳＳＩＤ（Service  Set  Identifier），ＳＮＡＰ（Subnetwork  Access  Protocol）／ＬＬＣ（Logical  link  Control）ヘッダ等）に基づいて次世代Ｂｌｕｅｔｏｏｔｈ（登録商標）のＷＬＡＮを用いた通信（ＢＴ（ＷＬＡＮ））のBeaconであると判断し、Beacon（ＡＭＰ＿１）フレームを８０２．１１ＰＡＬ部３２へ出力し、８０２．１１ＰＡＬ部３２がBeacon（ＡＭＰ＿１）フレームをＢｌｕｅｔｏｏｔｈ（登録商標）管理部２へ出力する。Ｂｌｕｅｔｏｏｔｈ（登録商標）管理部２は、受信したBeacon（ＡＭＰ＿１）フレームに基づいて所定のＢＴ（ＷＬＡＮ）の処理を実施する。
【００３６】
時刻ｔ２では、同様に、ＢＴＨＳ１−２が、ＳＳＩＤをＡＭＰ−ｙｙ：ｙｙ：ｙｙ：ｙｙとしたBeacon（ＡＭＰ−２）フレームを送信する。本フレームは、ＢＴＨＳ１−２が受信する。
【００３７】
なお、上述のBeacon（ＡＭＰ＿１）フレームおよびBeacon（ＡＭＰ＿２）フレームの送信では、Beacon（８０２．１１）フレームの送信と同じＷＬＡＮチャネルのＣＨ＃１を用いてもよいし、ＷＡＬＮチャネルのうちＣＨ＃１以外のチャネルで送信してもよい。ただし、Beacon（ＡＭＰ＿１）フレームおよびBeacon（ＡＭＰ＿２）フレームは同じチャネルで送信されることとし、そのチャネルは、図５のステップＳ１１〜ステップＳ１４に示した「ＡＭＰ＿Ｇｅｔ＿Ｉｎｆｏ＿Ｒｅｑ」「ＡＭＰ＿Ｇｅｔ＿Ｉｎｆｏ＿Ｒｅｓ」「ＡＭＰ＿Ｇｅｔ＿Ａｓｓｏｃ＿Ｒｅｑ」「ＡＭＰ＿Ｇｅｔ＿Ａｓｓｏｃ＿Ｒｅｓ」の情報交換シーケンスを通じて、ＢＴＨＳ１−１とＢＴＨＳ１−２の間で合意しておくこととする。
【００３８】
時刻ｔ３から時刻Ｔ４では、図５の例と同様に、ＢＴＨＳ１−１とＢＴＨＳ１−２は、ＢＴ（ＷＬＡＮ）の通信処理を実施する。具体的には、データの送信時には、Ｂｌｕｅｔｏｏｔｈ（登録商標）管理部２が、通信相手への送信データを８０２．１１ＰＡＬ部３２および状態制御部３３経由でＷＡＬＮ通信制御部３４へ渡し、ＷＬＡＮ通信制御部３４が、ＢＴ（ＷＬＡＮ）としての動作に基づいてＷＬＡＮ無線部３５経由で送信する。ＢＴ（ＷＬＡＮ）に基づく動作は、ＣＳＭＡ／ＣＡのアクセス制御方式で行ってもよいし、ＩＥＥＥ８０２．１１ｅ／ｎにて規定されているＥＤＣＡ，ＨＣＣＡ，ＰＳＭＰ（Power  Save  Multi−Poll），ＭＴＢＡ（Multiple  Traffic  ID  Block  Ack）,ＰＣＯ（Phased  Coexistence  Operation）等のアクセス方式やプロトコルを用いてもよい。
【００３９】
また、データの受信時は、状態制御部３３が、ＷＬＡＮ無線部３５およびＷＬＡＮ通信制御部３４経由で受信したデータを８０２．１１ＰＡＬ部３２へ出力し、８０２．１１ＰＡＬ部３２がBeacon（ＡＭＰ＿１）フレームをＢｌｕｅｔｏｏｔｈ（登録商標）管理部２へ出力する。Ｂｌｕｅｔｏｏｔｈ（登録商標）管理部２は、受信したデータに所定の処理を実施する。
【００４０】
時刻ｔ５から時刻ｔ６では、ＢＴＨＳ１−１が、ＷＬＡＮ装置として動作し、ＷＬＡＮ装置であるＡＰ６と通信を行なっている。この際、ＢＴＨＳ１−１では、状態制御部３３が、ＷＬＡＮ無線部３５およびＷＬＡＮ通信制御部３４経由で受信したＡＰ６からのデータに対し、そのデータのＳＳＩＤ，宛先アドレス，送信元アドレス，ＬＬＣ／ＳＮＡＰヘッダ，ＭＡＣアドレス数などに応じてフィルタリングした後に、ブリッジ部３１へ転送する。ブリッジ部３へ転送されたデータは、ＷＬＡＮ信号としての所定の処理を施される。
【００４１】
状態制御部３３が実施するフィルタリングとしては、ＷＬＡＮ装置から受信したデータをブリッジ部３１へ出力するようなフィルタリングを行うこととし、たとえば、ＳＳＩＤがＡＰ６に対応する値であればブリッジ部３１に転送するようなフィルタリングを行う。
【００４２】
また、データ送信時には、ブリッジ部３１経由で入力される送信データを、状態制御部３３がＷＬＡＮ通信制御部３４へ出力し、ＷＬＡＮ通信制御部３４が、その送信データに対して所定のＷＬＡＮの通信制御方式に基づいて送信制御を行い、ＷＬＡＮ無線部３５経由で送信データを送信する。
【００４３】
時刻ｔ６から時刻ｔ７では、ＢＴＨＳ１−１が従来のＢＴ（ＢＲ／ＥＤＲ）装置として動作するとともにＷＬＡＮ装置として動作しており、従来のＢＴ（ＢＲ／ＥＤＲ）の通信によりＢＴＨＳ１−２と通信を行うとともに、ＷＡＬＮ装置であるＡＰ６と通信を行っている様子を示している。ＢＴＨＳ１−１では、時刻ｔ５から時刻ｔ６までの間と同様に、状態制御部３３がフィルタリングを行い、ブリッジ部３１に転送する。一方で、ＢＴ（ＢＲ／ＥＤＲ）の通信については、ＢＴ無線部４２およびＢＴ通信制御部４１を介してＢｌｕｅｔｏｏｔｈ（登録商標）管理部２が従来のＢｌｕｅｔｏｏｔｈ（登録商標）に基づいた通信を行う。
【００４４】
時刻ｔ７から時刻ｔ８では、ＢＴＨＳ１−１がＢＴ（ＢＲ／ＥＤＲ）装置として動作し、ＢＴＨＳ１−２と従来のＢＴ（ＢＲ／ＥＤＲ）の通信を行っている様子を示している。この間の通信は、ＢＴ無線部４２、ＢＴ通信制御部４１およびＢｌｕｅｔｏｏｔｈ（登録商標）管理部２が実施する。
【００４５】
時刻ｔ９から時刻ｔ１０では、時刻ｔ３から時刻ｔ４までと同様に、ＢＴＨＳ１−１とＢＴＨＳ１−２は、ＢＴ（ＷＬＡＮ）の通信処理を実施している。
【００４６】
時刻ｔ１０から時刻ｔ１１では、ＢＴＨＳ１−１とＢＴＨＳ１−２がＢＴ（ＷＬＡＮ）装置として動作するとともに、ＢＴＨＳ１−１はＷＬＡＮ装置としてＡＰ６と通信を行っている。状態制御部３３は、ＷＬＡＮ無線部３５およびＷＬＡＮ通信制御部３４経由で受信したデータに対して、そのデータのＳＳＩＤ，宛先アドレス，送信元アドレス，ＬＬＣ／ＳＮＡＰヘッダ，ヘッダに含まれるＭＡＣアドレス数などに基づいてフィルタリングを行い、ブリッジ部３１または８０２．１１ＰＡＬ部３２へ転送する。たとえば、状態制御部３３は、ＳＳＩＤ（たとえば、図６−２のＡｄｄｒの値）がＡＰ６を示す値であれば、ブリッジ部３１に転送する。一方、状態制御部３３は、ＳＳＩＤがＡＭＰ−ｙｙ：ｙｙ：ｙｙ：ｙｙであれば、８０２．１１ＰＡＬ部３２経由でＢｌｕｔｏｏｔｈ（登録商標）管理部２に転送する。
【００４７】
図６−１は、ＢＴ（ＷＬＡＮ）の通信で用いるフレームフォーマットの一例を示す図であり、図６−２は、ＩＥＥＥ８０２．１１フレームのフレームフォーマットの一例を示す図である。Ａｄｄｒ１，Ａｄｄｒ２，Ａｄｄｒ３，Ａｄｄｒ４は、送信元アドレス，宛先アドレス，アクセスポイントのアドレスなどの情報が含まれる。状態制御部３３は、ＢＴＤＳ１−２との通信では図６−１のフォーマットを用い、ＷＬＡＮ装置との通信では図６−２で示したフォーマットを用いることになる。また、図７は、次世代Ｂｌｕｅｔｏｏｔｈ（登録商標）のＡＭＰ（Alternate  ＭＡＣ／ＰＨＹ）  ＬＬＣ／ＳＮＡＰヘッダの一例を示す図である。
【００４８】
状態制御部３３は、図６−１，６−２で示したこれらのフォーマットの項目のうち、所定の値に基づいてフィルタリングを行うが、この際、たとえば、図６−１のＡｄｄｒ４およびＬＬＣ／ＳＮＡＰヘッダ内部の値に基づいてフィルタリングを行うこともできる。この場合、ＬＬＣ／ＳＮＡＰヘッダの内部の値として、図７に示したようにＤＳＡＰ（Destination  Service  Access  Point），ＳＳＡＰ（Source  Service  Access  Point），Control（制御情報），ＯＵＩ（Organization  Unique  Identifier）等の値を用いることができる。
【００４９】
また、Ｂｌｕｔｏｏｔｈ（登録商標）管理部２は、送信データを８０２．１１ＰＡＬ部３２経由で状態制御部３３に通知する。状態制御部３３は、Ｂｌｕｔｏｏｔｈ（登録商標）管理部２から通知されたＢＴ（ＷＬＡＮ）の送信データ（ＢＴ（ＷＬＡＮ）フレーム）とブリッジ部３１から受け取るＷＬＡＮフレームとの優先制御を行い、これらのフレームをＷＬＡＮ通信制御部３４へ渡す。なお、ここでの優先制御は、Beaconフレーム、データフレーム、制御フレームなどのフレーム種別に基づく優先制御でも構わないし、ＷＬＡＮフレームとＢＴ（ＷＬＡＮ）フレームの間で、どちらかのフレームを優先するような制御でも構わない。
【００５０】
なお、ここでは、状態制御部３３が優先制御を行うようにしたが、状態制御部３３が優先制御が優先制御を行わず、たとえば、ＷＬＡＮ通信制御部３４が、ＩＥＥＥ８０２，１１ｅ／ｎで規定されるアクセスカテゴリーに基づき優先制御を行なうようにしてもよい。
【００５１】
なお、図４で示したシーケンスは一例であり、ＷＬＡＮ，ＢＴ（ＷＬＡＮ），ＢＴ（ＢＲ／ＥＤＲ）の各通信の順序はこれに限らず、通信状況に基づいてどのような順序で行われてもよい。ＢＴＨＳ１−１とＢＴＨＳ１−２の間については、Ｂｌｕｔｏｏｔｈ（登録商標）管理部２が、ＢＴ（ＷＬＡＮ）とＢＴ（ＢＲ／ＥＤＲ）のどちらの通信を行うかをデータ量などに基づいて判断し、それぞれの通信方式に応じた通信を行う。また、ＷＬＡＮ装置との通信については、ＢＴＨＳ１−１とＢＴＨＳ１−２の通信とは独立に、必要なときに、実施すればよい。
【００５２】
以上のように、本実施の形態では、ＢＴＨＳ１の状態制御部３３が、ＷＬＡＮ無線部３５およびＷＬＡＮ無線通信制御部３４を経由して受信したフレームのヘッダ情報に基づいて、そのフレームがＷＬＡＮフレームであるかＢＴ（ＷＬＡＮ）フレームであるかを判断し、ＷＬＡＮフレームであると判断した場合には、ＷＬＡＮ通信の処理を実施し、ＢＴ（ＷＬＡＮ）フレームであると判断した場合には、８０２．１１ＰＡＬ部３２を経由してＢｌｕｅｔｏｏｔｈ（登録商標）管理部２へ出力し、８０２．１１ＰＡＬ部３２およびＢｌｕｅｔｏｏｔｈ（登録商標）管理部２が、ＢＴ（ＷＬＡＮ）通信の処理を実施するようにした。そのため、ＩＥＥＥ８０２．１１  ＡＭＰ（ＢＴ（ＷＬＡＮ））に対応する通信と従来のＩＥＥＥ８０２．１１（ＷＬＡＮ）に対応する通信と、の両方の通信を、動作を切り替えることなく実現することができる。また、ＢＴ（ＢＲ／ＥＤＲ）機能またはＷＬＡＮ機能を有する装置を容易に次世代Ｂｌｕｅｔｏｏｔｈ（登録商標）機能を有する無線装置にアップグレードでき、さらに、同時にＷＬＡＮ装置として動作することができる。
【００５３】
なお、本実施の形態のＢＴＨＳ１は、マスター装置、スレーブ装置のいずれの装置として動作する場合にも、Ｂｌｕｅｔｏｏｔｈ（登録商標）の仕様に基づいた動作を実施することができる。
【００５４】
実施の形態２．
図８は、本発明にかかる実施の形態２の通信システムの構成例を示す図である。本実施の形態の通信システムは、実施の形態１のＢＴＨＳ１−１を削除し、ＡＰ６の替わりに、ＷＬＡＮのアクセスポイントとして動作するとともに実施の形態１の複合無線装置１の機能を有するアクセスポイントであるＢＴＨＳ＿ＡＰ９を備える以外は実施の形態１と同様である。
【００５５】
ＢＴＨＳ１−２の構成は、実施の形態１のＢＴＨＳ１−２と同様である。ＢＴＨＳ＿ＡＰ９は、通常のＩＥＥＥ８０２．１１ｂ／ｇ／ｎ対応のアクセスポイントとしての機能を有するとともに、実施の形態１の複合無線装置１としての構成も有している。ＢＴＨＳ＿ＡＰ９は、ＢＴＨＳ１−２との間で、次世代Ｂｌｕｔｏｏｔｈ（登録商標）の通信を行うとともに、ＷＬＡＮのアクセスポイントとして自身の配下のＳＴＡ７と通信を行っている。
【００５６】
図９は、本実施の形態のフレーム交換シーケンスの一例を示す図である。ここでは、ＢＴＨＳ＿ＡＰ９が、ＳＴＡ１およびＢＴＨＳ１−２と通信を行う例を示している。まず、時刻ｔ０では、ＢＴＨＳ＿ＡＰ９が、ＷＬＡＮチャネルのＣＨ＃１を用いて報知信号であるBeacon（８０２．１１）フレームを送信する。具体的には、ＢＴＨＳ＿ＡＰ９のＷＬＡＮ通信制御部３４が、予め設定したＳＳＩＤ（たとえば、ｚｚ：ｚｚ：ｚｚ：ｚｚ：ＷＬＡＮのアクセスポイントであることを示す値）を設定したBeacon（８０２．１１）フレームを、ＣＳＭＡ／ＣＡの制御手順に則り、ＷＬＡＮ無線部３５を介して送信する。本フレームは、ＳＴＡ７のみならず、ＢＴＨＳ１−２も受信する。
【００５７】
ＢＴＨＳ１−２では、状態制御部３３が、実施の形態１と同様に、受信したBeacon（８０２．１１）フレームのヘッダ情報（ＳＳＩＤ，ＬＬＣ／ＳＮＡＰヘッダ等）に基づいて、ＷＬＡＮのBeaconフレームであると判別し、ブリッジ部３１へ転送する。
【００５８】
時刻ｔ１では、ＢＴＨＳ＿ＡＰ９が、ＢＴ（ＷＬＡＮ）の通信を実施し、実施の形態１の時刻ｔ１でＢＴＨＳ１−１が実施したのと同様に、ＳＳＩＤをＡＭＰ−ｘｘ：ｘｘ：ｘｘ：ｘｘ（ｘｘ：ｘｘ：ｘｘ：ｘｘは、ＢＴＨＳ＿ＡＰ９の識別子）とした報知信号であるBeacon（ＡＭＰ＿１）フレームを送信する。
【００５９】
時刻ｔ２では、実施の形態１の時刻２と同様に、ＢＴＨＳ１−２が、ＳＳＩＤをＡＭＰ−ｙｙ：ｙｙ：ｙｙ：ｙｙとした報知信号であるBeacon（ＡＭＰ＿２）フレームを送信する。本フレームは、ＢＴＨＳ＿ＡＰ９が受信する。
【００６０】
なお、本実施の形態のＢＴＨＳ＿ＡＰ９は、ＷＬＡＮのアクセスポイントとしての機能と次世代Ｂｌｕｔｏｏｔｈ（登録商標）の機能との両方の機能を有するため、Beacon（ＡＭＰ＿１）とBeacon（８０２．１１）フレームの双方のBeaconフレームを送信する。したがって、ＢＴＨＳ＿ＡＰ９は、Beacon（ＡＭＰ＿１）とBeacon（８０２．１１）フレームを同一ＷＬＡＮチャネルで送信すると通信状況に合わせて動作チャネルを切り替える必要が無く簡易な制御になるが、Beacon（ＡＭＰ＿１）とBeacon（８０２．１１）フレームをそれぞれ異なるチャネルで送信してもよい、その際には、実施の形態１と同様に、「ＡＭＰ＿Ｇｅｔ＿Ｉｎｆｏ＿Ｒｅｑ」「ＡＭＰ＿Ｇｅｔ＿Ｉｎｆｏ＿Ｒｅｓ」「ＡＭＰ＿Ｇｅｔ＿Ａｓｓｏｃ＿Ｒｅｑ」「ＡＭＰ＿Ｇｅｔ＿Ａｓｓｏｃ＿Ｒｅｓ」の情報交換シーケンスを通じて、ＢＴＨＳ＿ＡＰ９とＢＴＨＳ１−２の間で合意しておくこととする。
【００６１】
また、ＷＬＡＮ通信またはＢＴ（ＷＬＡＮ）通信で、ＩＥＥＥ８０２．１１ｅ／ｎに規定されているＴＸＯＰ（The  Transmission  Opportunity），ＲＤ，ＰＳＭＰ，ＭＴＢＡ，ＨＣＣＡなどのアクセス方式を用いて、予めＢＴＨＳ＿ＡＰ９と通信相手との間で通信時間を調停することにより、Beacon（ＡＭＰ＿１）フレームとBeacon（８０２．１１）フレームを異なるＷＬＡＮチャネルで送信する場合も通信が可能である。
【００６２】
時刻ｔ３から時刻ｔ４では、ＢＴＨＳ＿ＡＰ９が、実施の形態１のＢＴＨＳ１−１と同様に、ＢＴＨＳ１−２との間でＢＴ（ＷＬＡＮ）の通信を行う。
【００６３】
時刻ｔ５から時刻ｔ６では、ＢＴＨＳ＿ＡＰ９がＷＬＡＮのアクセスポイントとして動作しＳＴＡ７と通信を行っている。この際、ＢＴＨＳ＿ＡＰ９では、実施の形態１のＢＳＨＳ１−１と同様に、状態制御部３３が受信フレームに対してフィルタリングを行い、ブリッジ部３１に転送する。
【００６４】
時刻ｔ６から時刻ｔ７では、ＢＴＨＳ＿ＡＰ９がＢＴ（ＥＲ／ＥＤＲ）の通信によりＢＴＨＳ１−２と通信を行うとともに、ＷＬＡＮのアクセスポイントとしてＳＴＡ７との通信を行う。ＢＴＨＳ＿ＡＰ９では、実施の形態１のＢＴＨＳ１−１と同様に状態制御部３３にてフィルタリングがフィルタリングを行い、ブリッジ部３１に転送する。一方、ＢＴ（ＢＲ／ＥＤＲ）の通信は、実施の形態１のＢＴＨＳ１−１と同様にＢＴ無線部４２、BT通信制御部４１、Ｂｌｕｅｔｏｏｔｈ（登録商標）管理部２を介した通信を行う。
【００６５】
時刻ｔ７から時刻ｔ８では、ＢＴＨＳ＿ＡＰ９が、実施の形態１のＢＴＨＳ１−１と同様にＢＴ（ＥＲ／ＥＤＲ）の通信によりＢＴＨＳ１−２と通信を行っている。
【００６６】
時刻ｔ９から時刻ｔ１０では、ＢＴＨＳ＿ＡＰ９が、実施の形態１のＢＴＨＳ１−１と同様にＢＴＨＳ１−２とＢＴ（ＷＬＡＮ）の通信を行っている。
【００６７】
時刻ｔ１０から時刻ｔ１１では、ＢＴＨＳ＿ＡＰ９が、ＢＴＨＳ１−２とＢＴ（ＷＬＡＮ）による通信を行うとともに、ＳＴＡ７とＷＬＡＮによる通信を行っている。ＢＴＨＳ＿ＡＰ９では、実施の形態１のＢＴＨＳ１−２と同様に、状態制御部３３が受信したフレームのフィルタリングを行い、ブリッジ部３１または８０２．１１ＰＡＬ部３２にフレームを転送する。たとえば、ＳＳＩＤがＢＴＨＳ＿ＡＰ９に対応する値であればブリッジ部３１に転送する。一方、ＳＳＩＤがＡＭＰ−ｙｙ：ｙｙ：ｙｙ：ｙｙであれば、８０２．１１ＰＡＬ部３２を介してＢｌｕｅｔｏｏｔｈ（登録商標）管理部２に転送する。以上述べた以外のＢＴＨＳ＿ＡＰ９の動作は実施の形態１のＢＴＨＳ１−１の動作を同様である。
【００６８】
以上のように、本実施の形態では、ＷＬＡＮのアクセスポイントの機能を有するＢＴＨＳ＿ＡＰ９が、実施の形態１のＢＴＨＳ１−１と同様の機能を有することとした。そのため、複合無線装置がＷＬＡＮのアクセスポイントである場合にも実施の形態１と同様の効果を得ることができる。
【産業上の利用可能性】
【００６９】
以上のように、本発明にかかる無線通信装置、無線通信システムおよび無線通信方法は、無線ＬＡＮ（Local  Area  Network）機器と共存する環境下で次世代Ｂｌｕｅｔｏｏｔｈ（登録商標）通信技術を実現する通信システムに有用であり、特に、ＷＬＡＮ装置との通信を行う通信システムに適している。
【符号の説明】
【００７０】
１，１−１，１−２  ＢＴＨＳ
２  Ｂｌｕｅｔｏｏｔｈ（登録商標）管理部
３  ＷＬＡＮコントローラー部
４  Ｂｌｕｅｔｏｏｔｈ（登録商標）コントローラー部
４１  ＢＴ通信制御部
４２  ＢＴ無線部
３１  ブリッジ部
３２  ８０２．１１ＰＡＬ部
３３  状態制御部
３４  ＷＬＡＮ通信制御部
３５  ＷＬＡＮ無線部
６  ＡＰ
７  ＳＴＡ
８−１，８−２  ＢＴ（ＥＲ／ＥＤＲ）装置
９  ＢＴＨＳ＿ＡＰ
【図１】
2011035632.tif 000003
【図２】
2011035632.tif 000004
【図３】
2011035632.tif 000005
【図４】
2011035632.tif 000006
【図５】
2011035632.tif 000007
【図６−１】
2011035632.tif 000008
【図６−２】
2011035632.tif 000009
【図７】
2011035632.tif 000010
【図８】
2011035632.tif 000011
【図９】
2011035632.tif 000012